(57)【要約】【目的】ユーザーがキャリッジに対してインクタンクヘッドを装着及び取り外しする際にキャリッジが固定される記録装置を提供すること。【構成】画像記録を行うインクタンクヘッドと、該インクタンクヘッドを保持して主走査方向に往復移動するキャリッジと、該キャリッジに回動自在に支持されて前記インクタンクヘッドを前記キャリッジに固定するヘッドリンクと、前記キャリッジに対して前記インクタンクヘッドを保持及び解除するために前記キャリッジに軸支持されて前記ヘッドリンクを回動させるヘッドレバーと、を有する記録装置において、前記ヘッドレバーを回動させることにより前記ヘッドリンクを回動させ、前記インクタンクヘッドを前記キャリッジから交換可能な状態にしたとき、前記ヘッドリンクの一部が記録装置本体と係合するよう構成する。【選択図】      図１
2004155006.tif 000002
【特許請求の範囲】
【請求項１】
画像記録を行うインクタンクヘッドと、該インクタンクヘッドを保持して主走査方向に往復移動するキャリッジと、該キャリッジに回動自在に支持されて前記インクタンクヘッドを前記キャリッジに固定するヘッドリンクと、前記キャリッジに対して前記インクタンクヘッドを保持及び解除するために前記キャリッジに軸支持されて前記ヘッドリンクを回動させるヘッドレバーと、を有する記録装置において、
前記ヘッドレバーを回動させることにより前記ヘッドリンクを回動させ、前記インクタンクヘッドを前記キャリッジから交換可能な状態にしたとき、前記ヘッドリンクの一部が記録装置本体と係合するよう構成したことを特徴とする記録装置。
【請求項２】
前記ヘッドリンクの一部が記録装置本体と係合するとき、前記キャリッジの下方向の可動が規制されることを特徴とする請求項１記載の記録装置。
【請求項３】
前記ヘッドリンクの一部が記録装置本体と係合するとき、前記キャリッジの主走査方向の可動が規制されることを特徴とする請求項１又は２記載の記録装置。
【発明の詳細な説明】
【０００１】
【発明の属する技術分野】
本発明は、記録装置に関し、更にはキャリッジに対しインクタンクヘッドを保持及び解除するために、キャリッジに軸支持されてヘッドリンクを回動させるヘッドレバーを備える記録装置に関する。
【０００２】
【従来の技術】
従来、記録装置としての機能は、インクタンクヘッドが記録信号に応じてインクを下向きに吐出することにより、記録用紙に記録を行うものである。
【０００３】
その中でも熱エネルギによって液体を吐出させるインクジェット記録方法に用いられているインクタンクヘッドは、記録用の液体を吐出して吐出用液滴を形成するための液体吐出口を高密度に配列することができるために高解像度の記録をすることが可能である。
【０００４】
しかし、インクジェット記録装置のインクタンクヘッドは、液体吐出口を高密度に配列されているため、目詰まりすることがあり、長期間使用していくうちに、高密度に配列されているノズルの一部が吐出できなくなることがあった。そのため、ユーザーがキャリッジに対してインクタンクヘッドを交換する必要があった。
【０００５】
【発明が解決しようとする課題】
しかしながら、従来の記録装置では、ユーザーがキャリッジに対してインクタンクヘッドを装着及び取り外しする際に、キャリッジにインクタンクヘッドの交換による負荷で撓んだり移動したりするために、インクタンクヘッドをキャリッジに引っ掛けたり、装着位置以上に押し込んだりして、装着及び取り外しが非常にやり辛く、場合によってはユーザーによって無理な力が加わることにより、キャリッジ、インクタンクヘッド、延ては記録装置本体まで壊す恐れがあった。
【０００６】
そこで、本発明は、ユーザーがキャリッジに対してインクタンクヘッドを装着及び取り外しする際にキャリッジが固定される記録装置を提供することを目的とする。
【０００７】
【課題を解決するための手段】
上記目的を達成するため、請求項１記載の発明は、画像記録を行うインクタンクヘッドと、該インクタンクヘッドを保持して主走査方向に往復移動するキャリッジと、該キャリッジに回動自在に支持されて前記インクタンクヘッドを前記キャリッジに固定するヘッドリンクと、前記キャリッジに対して前記インクタンクヘッドを保持及び解除するために前記キャリッジに軸支持されて前記ヘッドリンクを回動させるヘッドレバーと、を有する記録装置において、前記ヘッドレバーを回動させることにより前記ヘッドリンクを回動させ、前記インクタンクヘッドを前記キャリッジから交換可能な状態にしたとき、前記ヘッドリンクの一部が記録装置本体と係合するよう構成したことを特徴とする。
【０００８】
請求項２記載の発明は、請求項１記載の発明において、前記ヘッドリンクの一部が記録装置本体と係合するとき、前記キャリッジの下方向の可動を規制することを特徴とする。
【０００９】
請求項３記載の発明は、請求項１又は２記載の発明において、前記ヘッドリンクの一部が記録装置本体と係合するとき、前記キャリッジの主走査方向の可動を規制することを特徴とする。
【００１０】
上記の通り構成された本発明の記録装置は、ユーザーがキャリッジに対してインクタンクヘッドを装着及び取り外しする際に、キャリッジが下方向の可動が規制されていて、更には前記キャリッジの主走査方向の可動が規制されるため、キャリッジに対してインクタンクヘッドを交換するときの負荷で撓んだり移動したりすることが防がれるとともに、キャリッジ下方向の可動が規制され、更には主走査方向の可動が規制されるため、ユーザーによるインクタンクヘッドの装着及び取り外しがスムーズに行える。
【００１１】
そして、キャリッジ、インクタンクヘッド、延ては記録装置本体にダメージを与えることなくインクタンクヘッドの交換ができる。
【００１２】
【発明の実施の形態】
以下に本発明の実施の形態を添付図面を参照しながら説明する。
【００１３】
図１は本発明に係る記録装置の外観斜視図であり、キャリッジ２にインクタンクヘッド３が装着されている状態を示している。
【００１４】
記録装置１に組み込まれた不図示のフレーム３０には、フレーム３０に両端部が固定されて互いに平行に配置されたキャリッジシャフト４とキャリッジレール５があり、このキャリッジシャフト４とキャリッジレール５にキャリッジ２が、不図示の記録用紙４０の搬送方向と直交し、且つ、記録用紙４０の面に平行である主走査方向に摺動自在に支持されている。
【００１５】
キャリッジ２には、該キャリッジ２に回動自在に支持されてインクタンクヘッド３をキャリッジ２に固定するヘッドリンク７がインクタンクヘッド３の両側に配置されている。
【００１６】
又、キャリッジ２に軸支持されたヘッドレバーシャフト８を中心に回動するヘッドレバー６が設けられており、このヘッドレバー６が回動することにより、ヘッドリンク７が回動し、キャリッジ２に対しインクタンクヘッド３を保持及び解除することができる。
【００１７】
図１はヘッドレバー６が閉じた状態で、ヘッドリンク７がキャリッジ２に対しインクタンクヘッド３が固定されている状態を示している。
【００１８】
図２はヘッドレバー６が開いた状態で、ヘッドリンク７がキャリッジ２に対しインクタンクヘッド３を解除されている状態を示しており、この状態でインクタンクヘッド３を取り外しすることができる。
【００１９】
次に、図３（ａ），（ｂ）を用いて、キャリッジ２に対しインクタンクヘッド３を保持されている状態を説明する。
【００２０】
図３（ａ）はキャリッジ２を省いた側面図、図３（ｂ）は更にヘッドレバー６を省いた側面図である。
【００２１】
先ず、ヘッドリンク７はキャリッジ２に設けられた軸２−ａを中心に回動するようにインクタンクヘッド３の両側に配置されている。そして、キャリッジ２に固定されているリンクロックバネ９がヘッドリンク７に対してそれぞれ設けられており、このリンクロックバネ９は、板バネ部９−ａの力により図中矢印Ｂ方向に、ヘッドリンク７に設けられた図中裏側にあるヘッドリンクボス７−ｄを押し付けている。このリンクロックバネ９の力により、ヘッドリンク７は図中矢印Ａ方向に回動する力に変換される。
【００２２】
更に、ヘッドリンク７が図中矢印Ａ方向に回動する力により、ヘッドリンク７に設けられた図中裏側にあるヘッドリンクリブ７−ｃにより、インクタンクヘッド３に設けられた小判型のヘッドボス３−ａを図中矢印Ｃ方向に押し付けられる。この力により、インクタンクヘッド３はキャリッジ２に設けられたキャリッジ平面２−ｂと、キャリッジ２に固定されているヘッドコネクタ１０に押さえ付けられ、キャリッジ２に固定される。
【００２３】
このヘッドコネクタ１０は、インクタンクヘッド３と信号のやり取りをするために設けられており、このヘッドコネクタ１０には多数本の接点が設けられており、それぞれの接点は独立して前後に動き、インクタンクヘッド３の接点部分コンタクトパッドの面３−ｂが来ると接点は引っ込み、キャリッジ２のヘッドコネクタ１０とインクタンクヘッド３の接点部分コンタクトパッドの面３−ｂとが導通が取れ、インクタンクヘッド３と信号のやり取りをすることができる。
【００２４】
次に、図３（ａ），（ｂ）及び図４（ａ），（ｂ）を用いてインクタンクヘッド３をキャリッジ２から取り外す手順を説明する。
【００２５】
先ず、キャリッジ２に軸支持されたヘッドレバーシャフト８を中心に回動するヘッドレバー６のヘッドレバー把手部６−ａを持ち上げ、図中矢印Ｄ方向にヘッドレバー６を回動させると、ヘッドレバー６に設けられた内側のカム面６−ｂとヘッドリンク７のヘッドリンク軸７−ｂにより、ヘッドリンク７は図中矢印Ｅ方向にキャリッジ２に設けられた軸２−ａを中心に回動する。更に、ヘッドレバー６を９０°回動させるのが図４（ａ），（ｂ）である。
【００２６】
この状態では、リンクロックバネ９にヘッドリンク７に設けられた図中裏側にあるヘッドリンクボス７−ｄが突き当たる状態で保持されているため、ヘッドリンク７とヘッドレバー６は、図４（ａ），（ｂ）に示す状態で保たれる。この状態において、インクタンクヘッド３は、ヘッドリンク７に設けられた図中裏側にあるヘッドリンクリブ７−ｃとインクタンクヘッド３に設けられた小判型のヘッドボス３−ａが接していないため、図中矢印Ｆ方向に持ち上げることができる。こうして、インクタンクヘッド３をキャリッジ２から取り外すことができる。
【００２７】
更に、図３（ａ），（ｂ）及び図４（ａ），（ｂ）を用いてインクタンクヘッド３をキャリッジ２に装着する手順を説明する。
【００２８】
先ず、インクタンクヘッド３をキャリッジ２に図中矢印Ｇ方向に挿入する。そして、図４（ａ）の状態から、キャリッジ２に軸支持されたヘッドレバーシャフト８を中心に回動するヘッドレバー６のヘッドレバー把手部６−ａを持ち、図中矢印Ｈ方向にヘッドレバー６を回動させると、ヘッドレバー６に設けられた外側のカム面６−ｃとヘッドリンク７のヘッドリンク軸７−ｂにより、ヘッドリンク７は図中矢印Ｉ方向にキャリッジ２に設けられた軸２−ａを中心に回動する。更に、ヘッドレバー６を９０°回動させると、図３（ａ），（ｂ）であり、前述したように、インクタンクヘッド３はキャリッジ２に保持される。
【００２９】
次に、本発明のインクタンクヘッド３の交換の際に、ヘッドレバー６を回動させることにより、ヘッドリンク７を回動させ、インクタンクヘッド３をキャリッジ２から着脱可能な状態にしたときに、キャリッジ２が固定される機構について説明する。
【００３０】
図４（ａ），（ｂ）において、ヘッドレバー６が開いた状態で、ヘッドリンク７がキャリッジ２に対してインクタンクヘッド３を解除されている状態において、ヘッドリンク７の下部に設けられた突起部７−ｅ部が記録装置１の中で記録用紙４０の搬送の際にガイドとなるプラテン２０の２０−ａの部分に当たる状態となる。この状態において、インクタンクヘッド３をキャリッジ２より交換する際に、キャリッジ２の下方向の可動（図中矢印Ｊ方向）が規制されるので、インクタンクヘッド３を装着する際に必要以上の力でユーザーが図４（ａ）の図中矢印Ｇ方向にキャリッジ２に押し付けたりする、交換時による負荷でキャリッジ２が撓んだりすることが防がれるとともに、キャリッジ下方向の可動が規制されて、ユーザーによるインクタンクヘッドの装着及び取り外しがスムーズに行える。
【００３１】
そして、キャリッジ、インクタンクヘッド、延ては記録装置本体にダメージを与えることなく、インクタンクヘッドの交換ができる。
【００３２】
又、図３（ａ），（ｂ）に示されるように、ヘッドレバー６が閉じた状態で、ヘッドリンク７がキャリッジ２に対してインクタンクヘッド３を固定されている状態状態において、ヘッドリンク７の下部に設けられた突起部７−ｅ部がプラテン２０の平面と離れた状態となる。この状態においては、キャリッジ２の主走査方向の往復移動や不図示の記録用紙４０の搬送に何ら支障を来すことがないのは明白である。
【００３３】
＜実施の形態２＞
次に、本発明の実施の形態２について説明する。
【００３４】
図５は本実施の形態に係る記録装置の正面図である。
【００３５】
図５はヘッドレバー６が開いた状態で、ヘッドリンク７がキャリッジ２に対しインクタンクヘッド３を解除されている状態を示しており、この状態でインクタンクヘッド３を取り外しすることができる。
【００３６】
この状態で、ヘッドリンク７の下部に設けられた突起部７−ｅ部が記録装置１の中で記録用紙４０の搬送の際にガイドとなるプラテン２０に設けられた凹部２０−ｂの部分と嵌合した状態となる。この状態において、インクタンクヘッド３をキャリッジ２より交換する際に、キャリッジ２の前記キャリッジの主走査方向の可動（図中矢印Ｋ，Ｌ方向）が規制されるため、ユーザーによるインクタンクヘッドの装着及び取り外しがスムーズに行える。
【００３７】
そして、キャリッジ、インクタンクヘッド、延ては記録装置本体にダメージを与えることなく、インクタンクヘッドの交換ができる。
【００３８】
【発明の効果】
以上の説明で明らかなように、本発明によれば、画像記録を行うインクタンクヘッドと、該インクタンクヘッドを保持して主走査方向に往復移動するキャリッジと、該キャリッジに回動自在に支持されて前記インクタンクヘッドを前記キャリッジに固定するヘッドリンクと、前記キャリッジに対して前記インクタンクヘッドを保持及び解除するために前記キャリッジに軸支持されて前記ヘッドリンクを回動させるヘッドレバーと、を有する記録装置において、前記ヘッドレバーを回動させることにより前記ヘッドリンクを回動させ、前記インクタンクヘッドを前記キャリッジから交換可能な状態にしたとき、前記ヘッドリンクの一部が記録装置本体と係合するよう構成したため、前記キャリッジの下方向の可動が規制され、前記キャリッジの主走査方向の可動が規制される。
【００３９】
従って、ユーザーがキャリッジに対してインクタンクヘッドを装着及び取り外しする際に、キャリッジが下方向の可動が規制されていて、更には前記キャリッジの主走査方向の可動が規制されるため、キャリッジに対しインクタンクヘッドを交換するときの負荷で撓んだり移動したりすることが防がれるとともに、キャリッジ下方向の可動が規制され、更には主走査方向の可動が規制され、ユーザーによるインクタンクヘッドの装着及び取り外しがスムーズに行える。
【００４０】
そして、キャリッジ、インクタンクヘッド、延ては記録装置本体にダメージを与えることなくインクタンクヘッドの交換ができる。
【図面の簡単な説明】
【図１】本発明の実施の形態１に係る記録装置の外観斜視図（キャリッジに対しインクタンクヘッドが固定されている状態）である。
【図２】本発明の実施の形態１に係る記録装置の外観斜視図（キャリッジに対しインクタンクヘッドが解除されている状態）である。
【図３】本発明の実施の形態１に係る記録装置の側面図（キャリッジに対しインクタンクヘッドが固定されている状態）である。
【図４】本発明の実施の形態１に係る記録装置の側面図（キャリッジに対しインクタンクヘッドが解除されている状態）である。
【図５】の実施の形態２に係る記録装置の正面図である。
【符号の説明】
１            記録装置
２            キャリッジ
３            インクタンクヘッド
６            ヘッドレバー
７            ヘッドリンク
【図１】
2004155006.tif 000003
【図２】
2004155006.tif 000004
【図３】
2004155006.tif 000005
【図４】
2004155006.tif 000006
【図５】
2004155006.tif 000007